(57)【要約】【課題】電子機器の操作性を向上することが可能な技術を提供する。【解決手段】電子機器は、表示面と、指紋センサと、制御部とを備える。指紋センサは、表示面をさわる指の指紋を検出する。制御部は、表示面の表示を制御し、指紋センサでの指紋検出結果に基づいて指紋認証を行う。制御部は、表示面が非表示状態である場合に表示面が第１の指でさわられたとき、表示面を表示状態に変更するとともに、当該第１の指についての指紋検出結果に基づいて指紋認証を行う第１処理を実行する。【選択図】図３
2019079415.tif 000002
【特許請求の範囲】
【請求項１】
電子機器であって、
表示面と、
前記表示面をさわる指の指紋を検出する指紋センサと、
前記表示面の表示を制御し、前記指紋センサでの指紋検出結果に基づいて指紋認証を行う制御部と
を備え、
前記制御部は、前記表示面が非表示状態である場合に前記表示面が第１の指でさわられたとき、前記表示面を表示状態に変更するとともに、当該第１の指についての前記指紋検出結果に基づいて前記指紋認証を行う第１処理を実行する、電子機器。
【請求項２】
請求項１に記載の電子機器であって、
前記表示面に対する前記第１の指の押圧力を検出するセンサをさらに備え、
前記制御部は、前記センサで検出される前記押圧力に応じて、前記第１処理を実行するか否かを決定する、電子機器。
【請求項３】
請求項１及び請求項２のいずれか一つに記載の電子機器であって、
前記制御部は、前記第１処理において、前記表示面での前記第１の指でさわられた場所に第１表示物を表示する、電子機器。
【請求項４】
請求項１乃至請求項３のいずれか一つに記載の電子機器であって、
前記制御部は、前記表示面に表示されている第２表示物が第２の指でさわられた場合、当該第２の指についての前記指紋検出結果に基づいて前記指紋認証を行い、当該指紋認証に成功すると当該第２表示物に関する第２処理を実行し、当該指紋認証に失敗すると当該第２処理を実行しない、電子機器。
【請求項５】
請求項４に記載の電子機器であって、
前記制御部は、前記表示面に表示されている前記第２表示物が、前記第２の指とは異なる第３の指でさわられた場合、当該第３の指についての前記指紋検出結果に基づいて前記指紋認証を行い、当該指紋認証に成功すると当該第２表示物に関する、前記第２処理とは異なる第３処理を実行し、当該指紋認証に失敗すると当該第３処理を実行しない、電子機器。
【請求項６】
請求項４及び請求項５のいずれか一つに記載の電子機器であって、
前記第２表示物は、アプリケーションプログラムの実行を前記電子機器に指示するためのアイコン及び撮影画像の少なくとも一つを含む、電子機器。
【請求項７】
表示面と、当該表示面をさわる指の指紋を検出する指紋センサとを備える電子機器を制御するための、当該電子機器が備える制御装置であって、
前記表示面が非表示状態である場合に前記表示面が指でさわられたとき、前記表示面を表示状態に変更するとともに、前記指紋センサでの当該指についての指紋検出結果に基づいて指紋認証を行う、制御装置。
【請求項８】
表示面と、当該表示面をさわる指の指紋を検出する指紋センサとを備える電子機器を制御するための制御プログラムであって、
前記電子機器に、
前記表示面が非表示状態である場合に前記表示面が指でさわられたとき、前記表示面を表示状態に変更するとともに、前記指紋センサでの当該指についての指紋検出結果に基づいて指紋認証を行う処理を実行させるための制御プログラム。
【請求項９】
表示面と、当該表示面をさわる指の指紋を検出する指紋センサとを備える電子機器の動作方法であって、
前記表示面が非表示状態である場合に前記表示面が指でさわられたとき、前記表示面を表示状態に変更するとともに、前記指紋センサでの当該指についての指紋検出結果に基づいて指紋認証を行う処理を備える、電子機器の動作方法。
【発明の詳細な説明】
【技術分野】
【０００１】
本開示は、電子機器に関する。
【背景技術】
【０００２】
特許文献１に記載されているように、電子機器に関して様々な技術が提案されている。
【先行技術文献】
【特許文献】
【０００３】
【特許文献１】特表２０１７−５０４８５３号公報
【発明の概要】
【発明が解決しようとする課題】
【０００４】
電子機器については、その操作性の向上が望まれている。
【０００５】
そこで、本発明は上述の点に鑑みて成されたものであり、電子機器の操作性を向上することが可能な技術を提供することを目的とする。
【課題を解決するための手段】
【０００６】
電子機器、制御装置、制御プログラム及び電子機器の動作方法が開示される。一の実施の形態では、電子機器は、表示面と、指紋センサと、制御部とを備える。指紋センサは、表示面をさわる指の指紋を検出する。制御部は、表示面の表示を制御し、指紋センサでの指紋検出結果に基づいて指紋認証を行う。制御部は、表示面が非表示状態である場合に表示面が第１の指でさわられたとき、表示面を表示状態に変更するとともに、当該第１の指についての指紋検出結果に基づいて指紋認証を行う第１処理を実行する。
【０００７】
また、一の実施の形態では、制御装置は、表示面と、当該表示面をさわる指の指紋を検出する指紋センサとを備える電子機器を制御するための、当該電子機器が備える制御装置である。制御装置は、表示面が非表示状態である場合に表示面が指でさわられたとき、表示面を表示状態に変更するとともに、指紋センサでの当該指についての指紋検出結果に基づいて指紋認証を行う。
【０００８】
また、一の実施の形態では、制御プログラムは、表示面と、当該表示面をさわる指の指紋を検出する指紋センサとを備える電子機器を制御するための制御プログラムである。制御プログラムは、電子機器に、記表示面が非表示状態である場合に前記表示面が指でさわられたとき、前記表示面を表示状態に変更するとともに、前記指紋センサでの当該指についての指紋検出結果に基づいて指紋認証を行う処理を実行させるためのものである。
【０００９】
また、一の実施の形態では、電子機器の動作方法は、表示面と、当該表示面をさわる指の指紋を検出する指紋センサとを備える電子機器の動作方法である。電子機器の動作方法は、表示面が非表示状態である場合に表示面が指でさわられたとき、表示面を表示状態に変更するとともに、指紋センサでの当該指についての指紋検出結果に基づいて指紋認証を行う処理を備える。
【発明の効果】
【００１０】
電子機器の操作性が向上する。
【図面の簡単な説明】
【００１１】
【図１】電子機器の外観の一例を示す斜視図である。
【図２】電子機器の外観の一例を示す背面図である。
【図３】電子機器の構成の一例を示すブロック図である。
【図４】指紋検出領域の一例を示す図である。
【図５】指紋検出領域の一例を示す図である。
【図６】電子機器の表示の一例を示す図である。
【図７】電子機器の表示の一例を示す図である。
【図８】電子機器の動作の一例を示すフローチャートである。
【図９】電子機器に対する操作の一例を示す図である。
【図１０】電子機器の表示の一例を示す図である。
【図１１】電子機器の表示の一例を示す図である。
【図１２】電子機器の動作の一例を示すフローチャートである。
【図１３】電子機器の表示の一例を示す図である。
【図１４】電子機器の表示の一例を示す図である。
【図１５】電子機器の動作の一例を示すフローチャートである。
【図１６】電子機器に対する操作の一例を示す図である。
【図１７】電子機器の表示の一例を示す図である。
【図１８】電子機器の表示の一例を示す図である。
【図１９】電子機器に対する操作の一例を示す図である。
【図２０】電子機器の表示の一例を示す図である。
【図２１】電子機器に対する操作の一例を示す図である。
【図２２】電子機器の表示の一例を示す図である。
【図２３】電子機器の表示の一例を示す図である。
【図２４】記憶部が記憶する情報の一例を示す図である。
【図２５】電子機器の動作の一例を示すフローチャートである。
【図２６】電子機器の表示の一例を示す図である。
【図２７】電子機器の表示の一例を示す図である。
【図２８】電子機器の表示の一例を示す図である。
【図２９】電子機器の動作の一例を示すフローチャートである。
【図３０】電子機器に対する操作の一例を示す図である。
【図３１】電子機器の表示の一例を示す図である。
【発明を実施するための形態】
【００１２】
＜電子機器の外観の一例＞
図１及び２は電子機器１の外観の一例を示す斜視図及び背面図である。図１及び２に示されるように、電子機器１は、平面視で略長方形の板状の機器ケース１１を備えている。機器ケース１１は電子機器１の外装を構成している。
【００１３】
機器ケース１１の前面１１ａには、言い換えれば電子機器１の前面には、文字、記号及び図形等の各種情報が表示される表示面１２１が位置している。表示面１２１の背面側には後述するタッチパネル１３０が位置している。これにより、ユーザは、電子機器１の前面の表示面１２１を指等で操作することによって、電子機器１に対して各種情報を入力することができる。なお、ユーザは、指以外の操作子、例えば、スタイラスペンなどのタッチパネル用ペンで表示面１２１を操作することによっても、電子機器１に対して各種情報を入力することができる。なお、表示面１２１の位置は図１の例には限られない。
【００１４】
機器ケース１１の前面１１ａの上端部にはレシーバ穴１２が位置している。機器ケース１１の下側の側面１１ｄにはマイク穴１４が位置している。機器ケース１１の前面１１ａの上端部からは、後述する第１カメラ１８０が有するレンズ１８１が視認可能となっている。図２に示されるように、機器ケース１１の背面１１ｂ、言い換えれば電子機器１の背面の上端部からは、後述する第２カメラ１９０が有するレンズ１９１が視認可能となっている。また、機器ケース１１の背面１１ｂにはスピーカ穴１３が位置している。
【００１５】
電子機器１は、複数の操作ボタンから成る後述の操作ボタン群１４０を有する。各操作ボタンは、例えばハードウェアボタンであって、機器ケース１１の表面に位置する。各操作ボタンは、例えば押しボタンである。操作ボタン群１４０には電源ボタン１４１が含まれる。電源ボタン１４１は、機器ケース１１の右側の側面１１ｃに位置している。本明細書では、右側と言えば、表示面１２１を見た場合の右側を意味する。また、左側と言えば、表示面１２１を見た場合の左側を意味する。操作ボタン群１４０には、電源ボタン１４１以外の操作ボタンが含まれる。例えば、操作ボタン群１４０には、ボリュームボタンが含まれる。
【００１６】
＜電子機器の電気的構成の一例＞
図３は電子機器１の電気的構成の一例を主に示すブロック図である。図３に示されるように、電子機器１は、制御部１００、無線通信部１１０、表示部１２０、タッチパネル１３０及び操作ボタン群１４０を備える。さらに電子機器１は、レシーバ１５０、スピーカ１６０、マイク１７０、第１カメラ１８０、第２カメラ１９０、指紋センサ２００、センサ２１０及び電池２２０を備える。電子機器１が備えるこれらの構成要素は、機器ケース１１内に収められている。
【００１７】
制御部１００は、電子機器１の他の構成要素を制御することによって、電子機器１の動作を統括的に管理することが可能である。制御部１００は制御装置あるいは制御回路とも言える。制御部１００は、以下にさらに詳細に述べられるように、種々の機能を実行するための制御及び処理能力を提供するために、少なくとも１つのプロセッサを含む。
【００１８】
種々の実施形態によれば、少なくとも１つのプロセッサは、単一の集積回路（ＩＣ）として、または複数の通信可能に接続された集積回路（ＩＣ）及び／またはディスクリート回路（discrete circuits）として実行されてもよい。少なくとも１つのプロセッサは、種々の既知の技術に従って実行されることが可能である。
【００１９】
１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェア（例えば、ディスクリートロジックコンポーネント）であってもよい。
【００２０】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイス若しくは構成の任意の組み合わせ、または他の既知のデバイス及び構成の組み合わせを含み、以下に説明される機能を実行してもよい。
【００２１】
本例では、制御部１００は、ＣＰＵ（Central Processing Unit）１０１、ＤＳＰ（Digital Signal Processor）１０２及び記憶部１０３を備える。記憶部１０３は、ＲＯＭ（Read Only Memory）及びＲＡＭ（Random Access Memory）などの、ＣＰＵ１０１及びＤＳＰ１０２が読み取り可能な非一時的な記録媒体を含む。記憶部１０３が有するＲＯＭは、例えば、不揮発性メモリであるフラッシュＲＯＭ（フラッシュメモリ）である。記憶部１０３には、電子機器１を制御するための複数の制御プログラム１０３ａ等が記憶されている。制御部１００の各種機能は、ＣＰＵ１０１及びＤＳＰ１０２が記憶部１０３内の各種制御プログラム１０３ａを実行することによって実現される。
【００２２】
なお制御部１００は、複数のＣＰＵ１０１を備えてもよい。この場合、制御部１００は、比較的複雑な処理を行う、処理能力が高いメインＣＰＵと、比較的簡単な処理を行う、処理能力が低いサブＣＰＵとを備えてもよい。また制御部１００は、ＤＳＰ１０２を備えなくてもよいし、複数のＤＳＰ１０２を備えてもよい。また、制御部１００の全ての機能あるいは制御部１００の一部の機能は、その機能の実現にソフトウェアが不要なハードウェア回路によって実現されてもよい。
【００２３】
記憶部１０３は、ＲＯＭ及びＲＡＭ以外の、コンピュータが読み取り可能な非一時的な記録媒体を備えていてもよい。記憶部１０３は、例えば、小型のハードディスクドライブ及びＳＳＤ（Solid State Drive）などを備えていてもよい。
【００２４】
記憶部１０３内の複数の制御プログラム１０３ａには、様々なアプリケーション（つまり、アプリケーションプログラム）が含まれている。記憶部１０３には、例えば、音声通話及びビデオ通話を行うための通話アプリケーション、ウェブサイトを表示するためのブラウザ及び電子メールの作成、閲覧及び送受信を行うためのメールアプリケーションが記憶されている。また記憶部１０３には、第１カメラ１８０及び第２カメラ１９０を利用して被写体を撮影するためのカメラアプリケーション、記憶部１０３に記録されている静止画及び動画を表示するための記録画像表示アプリケーション及び記憶部１０３に記憶されている音楽データの再生制御を行うための音楽再生制御アプリケーションなどが記憶されている。記憶部１０３内の少なくとも一つのアプリケーションは、記憶部１０３内にあらかじめ記憶されているものであってよい。また、記憶部１０３内の少なくとも一つのアプリケーションは、電子機器１が他の装置からダウンロードして記憶部１０３内に記憶したものであってよい。
【００２５】
無線通信部１１０は、アンテナ１１１を有している。無線通信部１１０は、アンテナ１１１を用いて、例えば複数種類の通信方式で無線通信することが可能である。無線通信部１１０の無線通信は、制御部１００によって制御される。
【００２６】
無線通信部１１０は、携帯電話システムの基地局と無線通信することが可能である。無線通信部１１０は、当該基地局及びインターネット等のネットワークを通じて、電子機器１とは別の携帯電話機及びウェブサーバ等と通信することが可能である。電子機器１は、他の携帯電話機等と、データ通信、音声通話及びビデオ通話等を行うことが可能である。
【００２７】
また無線通信部１１０、Ｗｉｆｉ等の無線ＬＡＮ（Local Area Network）を用いて無線通信を行うことが可能である。また無線通信部１１０は、近距離無線通信を行うことが可能である。例えば、無線通信部１１０は、Ｂｌｕｅｔｏｏｔｈ（登録商標）に準拠して無線通信することが可能である。無線通信部１１０は、ＺｉｇＢｅｅ（登録商標）及びＮＦＣ（Near Field Communication）の少なくとも一方に準拠して無線通信することが可能であってもよい。
【００２８】
無線通信部１１０は、アンテナ１１１で受信した信号に対して増幅処理等の各種処理を行い、処理後の受信信号を制御部１００に出力する。制御部１００は、入力される受信信号に対して各種処理を行って、当該受信信号に含まれる情報を取得する。また、制御部１００は、情報を含む送信信号を無線通信部１１０に出力する。無線通信部１１０は、入力される送信信号に対して増幅処理等の各種処理を行って、処理後の送信信号をアンテナ１１１から無線送信する。
【００２９】
表示部１２０は、電子機器１の前面１１ａに位置する表示面１２１と、表示パネル１２２と、バックライト１２３とを備えている。表示部１２０は、表示面１２１に各種情報を表示することが可能である。表示パネル１２２は、例えば、液晶表示パネルであって、複数の画素（「画素部」あるいは「画素回路」とも呼ばれる）を備える。表示パネル１２２は、例えば、液晶、ガラス基板及び偏光板等を備える。表示パネル１２２は、機器ケース１１内において、表示面１２１と対向している。表示部１２０に表示される情報は、電子機器１の表面の表示面１２１に表示される。バックライト１２３は、表示パネル１２２の裏側から当該表示パネル１２２に対して光を照射する。バックライト１２３は、例えば、少なくとも一つのＬＥＤ（発光ダイオード）を備える。表示パネル１２２は、制御部１００によって制御されることにより、画素単位で、バックライト１２３からの光の透過量を制御することが可能である。これにより、表示パネル１２２は、各種情報を表示することが可能である。バックライト１２３が点灯しているときに表示パネル１２２の各画素が制御部１００によって制御されることにより、表示部１２０は、文字、記号及び図形などの各種情報を表示することが可能である。制御部１００は、表示パネル１２２を制御することによって、表示面１２１の表示を制御することができる。制御部１００は、表示パネル１２２を通じて、表示面１２１に情報を表示することができると言える。制御部１００は、バックライト１２３を制御することが可能である。制御部１００は、例えば、バックライト１２３を点灯させたり、消灯させたりすることが可能である。
【００３０】
なお表示パネル１２２は、液晶表示パネル以外の表示パネルであってもよい。例えば、表示パネル１２２は、有機ＥＬ（Electroluminescence）パネルなどの自発光型の表示パネルであってもよい。この場合には、バックライト１２３は不要になる。
【００３１】
タッチパネル１３０は、表示面１２１に対する指等の操作子による操作を検出することが可能である。タッチパネル１３０は表示面１２１に対する操作を検出するセンサであると言える。タッチパネル１３０は、例えば、投影型静電容量方式のタッチパネルである。タッチパネル１３０は、例えば、表示面１２１の裏側に位置する。ユーザが指等の操作子によって表示面１２１に対して操作を行ったとき、その操作に応じた電気信号をタッチパネル１３０は制御部１００に入力することが可能である。制御部１００は、タッチパネル１３０が出力する出力信号に基づいて、表示面１２１に対して行われた操作の内容を特定することが可能である。そして制御部１００は、特定した操作内容に応じた処理を行うことが可能である。なお、表示パネル１２２及びタッチパネル１３０の代わりに、タッチパネルが組み込まれたインセル型の表示パネルが採用されてもよい。
【００３２】
操作ボタン群１４０の各操作ボタンは、ユーザによって操作されると、操作されたことを示す操作信号を制御部１００に出力することが可能である。これにより、制御部１００は、各操作ボタンについて、当該操作ボタンが操作されたか否かを判断することができる。操作信号が入力された制御部１００が他の構成要素を制御することによって、電子機器１では、操作された操作ボタンに割り当てられている機能が実行される。
【００３３】
マイク１７０は、電子機器１の外部から入力される音を電気的な音信号に変換して制御部１００に出力することが可能である。電子機器１の外部からの音は、マイク穴１４から電子機器１の内部に取り込まれてマイク１７０に入力される。
【００３４】
スピーカ１６０は、例えばダイナミックスピーカである。スピーカ１６０は、制御部１００からの電気的な音信号を音に変換して出力することが可能である。スピーカ１６０から出力される音は、スピーカ穴１３から外部に出力される。ユーザは、スピーカ穴１３から出力される音を、電子機器１から離れた場所でも聞こえることが可能である。
【００３５】
レシーバ１５０は受話音を出力することが可能である。レシーバ１５０は例えばダイナミックスピーカである。レシーバ１５０は、制御部１００からの電気的な音信号を音に変換して出力することが可能である。レシーバ１５０から出力される音はレシーバ穴１２から外部に出力される。レシーバ穴１２から出力される音の音量は、スピーカ穴１３から出力される音の音量よりも小さくなっている。ユーザは、レシーバ穴１２から出力される音を、当該レシーバ穴１２に耳を近づけることによって聞くことができる。なお、レシーバ１５０の代わりに、機器ケース１１の前面部分を振動させる、圧電振動素子等の振動素子を設けてもよい。この場合には、音は、当該前面部分の振動によりユーザに伝達される。
【００３６】
第１カメラ１８０は、レンズ１８１及びイメージセンサなどを備えている。第２カメラ１９０は、レンズ１９１及びイメージセンサなどを備えている。第１カメラ１８０及び第２カメラ１９０のそれぞれは、制御部１００による制御に基づいて被写体を撮影し、撮影した被写体を示す静止画あるいは動画を生成して制御部１００に出力することが可能である。
【００３７】
第１カメラ１８０のレンズ１８１は、機器ケース１１の前面１１ａから視認可能となっている。したがって、第１カメラ１８０は、電子機器１の前面側（言い換えれば、表示面１２１側）に存在する被写体を撮影することが可能である。第１カメラ１８０はインカメラと呼ばれる。一方で、第２カメラ１９０のレンズ１９１は、機器ケース１１の背面１１ｂから視認可能となっている。したがって、第２カメラ１９０は、電子機器１の背面側に存在する被写体を撮影することが可能である。第２カメラ１９０はアウトカメラと呼ばれる。
【００３８】
指紋センサ２００は、表示面１２１をさわる指の指紋を検出することが可能である。ここで、表示面１２１に指がさわることには、表示面１２１に対して指が軽くくっつくことと、表示面１２１を指が押すこと（言い換えれば指が押圧すること）の両方を含む。したがって、指紋センサ２００は、指が表示面１２１に軽くくっついている場合に当該指の指紋を検出することができる。また指紋センサ２００は、指によって表示面１２１が押されている場合に当該指の指紋を検出することができる。指紋センサ２００は、表示面１２１を指が弱く押す場合であっても、指が強く押す場合であっても、当該指の指紋を検出することができる。指紋センサ２００は、表示面１２１に設定された指紋検出領域２０１をさわる指の指紋を検出することが可能である。
【００３９】
図４は指紋検出領域２０１の一例を示す図である。図４に示されるように、指紋検出領域２０１の形状は、例えば、表示面１２１の形状と同様に矩形となっている。そして、指紋検出領域２０１の大きさは、例えば、表示面１２１の大きさとほぼ同じとなっている。
【００４０】
なお、指紋検出領域２０１は、表示面１２１と同じ大きさであってもよい。また図５に示されるように、指紋検出領域２０１は、表示面１２１の端部に位置してもよい。図５の例では、指紋検出領域２０１は、表示面１２１の下側の端部に位置している。指紋検出領域２０１は、表示面１２１の上側の端部に位置してもよいし、右側の端部に位置してもよいし、左側の端部に位置してもよい。また指紋検出領域２０１は、表示面１２１の下側半分に位置してもよいし、上側半分に位置してもよいし、右側半分に位置してもよいし、左側半分に位置してもよい。図４，５のように、指紋検出領域２０１が、表示面１２１の下側の領域を含む場合には、ユーザは指で指紋検出領域２０１をさわりやすくなる。以後、指紋検出領域２０１を単に「検出領域２０１」と呼ぶことがある。
【００４１】
指紋センサ２００での指紋検出方式は、例えば、静電容量方式である。指紋センサ２００での指紋検出方式は、静電容量方式以外の方式であってもよい。例えば、指紋センサ２００での指紋検出方式は光学式であってもよい。以後、指紋センサ２００で検出された指紋を「検出指紋」と呼ぶことがある。
【００４２】
センサ２１０は、表示面１２１に対する指による押圧力を検出することが可能である。センサ２１０は、例えば圧力センサである。またセンサ２１０は、例えば、表示面１２１をさわる指の振動を検出する圧電センサであってもよい。人の指は、筋肉の働き及び脈によって振動し、その振動の経時変化は特徴的なパターンを示す。そして、指がある面を押す場合、当該指の振動の経時変化の特徴的パターンは、当該指の押圧力に応じて変化する。圧電センサは、表示面１２１をさわる指の振動の経時変化のパターンを検出することによって、表示面１２１に対する当該指による押圧力を検出することができる。制御部１００は、圧電センサの検出値に基づいて、表示面１２１が人の指によりさわられているのか、人の指以外のものによりさわられているのかを特定することができる。
【００４３】
電池２２０は電子機器１の電源を出力することが可能である。電池２２０は例えば充電式の電池である。電池２２０から出力される電源は、電子機器１が備える制御部１００及び無線通信部１１０などの各種構成に対して供給される。
【００４４】
なお電子機器１は、タッチパネル１３０、指紋センサ２００及びセンサ２１０以外のセンサを備えてもよい。例えば、電子機器１は、加速度センサ、気圧センサ、地磁気センサ、温度センサ、近接センサ、照度センサ及びジャイロセンサの少なくとも一つを備えてもよい。
【００４５】
＜電子機器の動作モードの一例＞
電子機器１は多数の動作モードを有している。電子機器１の動作モードには、例えば、通常モード、スリープモード及びシャットダウンモードが含まれる。シャットダウンモードでは、電子機器１がシャットダウンし、電子機器１のほとんどの機能が停止する。スリープモードでは、電子機器１における、表示機能を含む一部の機能が停止する。通常モードは、電子機器１がスリープモード及びシャットダウンモード以外で動作している状態を意味する。制御部１００が、設定すべき動作モードに応じて電子機器１の所定の構成を制御することによって、電子機器１の動作モードが設定される。
【００４６】
スリープモードでは、例えば、表示パネル１２２、バックライト１２３、タッチパネル１３０、第１カメラ１８０、第２カメラ１９０及び指紋センサ２００等を含む電子機器１の一部の構成が動作しない。シャットダウンモードでは、表示パネル１２２、バックライト１２３、タッチパネル１３０、第１カメラ１８０、第２カメラ１９０、指紋センサ２００及びセンサ２１０等を含む電子機器１のほとんどの構成が動作しない。スリープモードでは、通常モードよりも電子機器１の消費電力が低減する。シャットダウンモードでは、スリープモードよりも電子機器１の消費電力が低減する。
【００４７】
また、スリープモード及びシャットダウンモードでは、表示面１２１は非表示状態となる。ここで、表示状態とは、電子機器１が意図的に表示面１２１に表示を行っている状態を意味する。また非表示状態とは、電子機器１が意図的に表示面１２１に表示を行うことを実行してない状態を意味する。本例では、バックライト１２３が消灯すると、電子機器１は、意図的に表示面１２１に表示を行うことができない。したがって、バックライト１２３が消灯することによって、表示面１２１が非表示状態となる。言い換えれば、バックライト１２３が駆動されていないときに、表示面１２１が非表示状態となる。また、表示パネル１２２が有機ＥＬパネル等の自発光型の表示パネルである場合には、全画素が発光していない場合に表示面１２１が非表示状態となる。つまり、表示パネル１２２の表示領域の全領域が消灯状態の場合に表示面１２１が非表示状態となる。
【００４８】
通常モードにおいて、電源ボタン１４１が長時間押されると、通常モードからシャットダウンモードに遷移させるか否かをユーザに確認するための確認画面が表示面１２１に表示される。表示面１２１に確認画面が表示されている状態において、ユーザが表示面１２１に対して所定の操作を行うと、通常モードからシャットダウンモードに遷移する。
【００４９】
また通常モードにおいて、電子機器１に対して一定時間以上操作が行われなければ、通常モードからスリープモードに遷移する。また、通常モードにおいて、電源ボタン１４１が短時間押されると、通常モードからスリープモードに遷移する。
【００５０】
一方で、スリープモードにおいて、電源ボタン１４１が短時間押されたとき、スリープモードから通常モードに遷移する。つまり、スリープモードにおいて、電源ボタン１４１が短時間押されたとき、電子機器１では、スリープモードに遷移するときに停止された機能が復帰する。本例では、通常モードには、後述するロックモードが含まれている。スリープモードにおいて、電源ボタン１４１が短時間押されたとき、スリープモードからロックモードに遷移する。また後述するように、スリープモードにおいて、表示面１２１に対して所定の操作が行われたとき、スリープモードから通常モードに遷移する。以後、単に動作モードと言えば、電子機器１の動作モードを意味する。
【００５１】
＜表示面に表示される画面の一例＞
通常モードにおいては、様々な画面が表示面１２１に表示される。表示面１２１に表示される画面は、表示面１２１に表示される画像であるとも言える。表示面１２１には、例えば、ホーム画面及びロック画面が表示される。図６はロック画面３００の一例を示す図である。図７はホーム画面４００の一例を示す図である。
【００５２】
図６に示されるように、ロック画面３００には、例えば、現在の時刻３０１と、現在の日付３０２と、現在の曜日３０３とが示される。
【００５３】
ここで、通常モードには、記憶部１０３内の複数のアプリケーションのうち、特定のアプリケーション（例えば通話アプリケーション及びカメラアプリケーション）以外のアプリケーションを、ユーザが電子機器１に実行させることができないロックモードが含まれる。ロックモードは、画面ロックモードとも呼ばれる。ロックモードでは、ユーザは、記憶部１０３内の複数のアプリケーションのうち、特定のアプリケーション以外の各アプリケーションについて、当該アプリケーションの実行を電子機器１に指示することができない。ロック画面３００は、電子機器１がロックモードであることを通知する画面であって、動作モードがロックモードのときに表示面１２１に表示される。なお、ロックモードでは、記憶部１０３内のすべてのアプリケーションをユーザが電子機器１に実行させることができなくてもよい。
【００５４】
スリープモードにおいて、電源ボタン１４１が短時間押されたとき、スリープモードが解除されて、動作モードはロックモードとなる。これにより、表示面１２１にロック画面３００が表示される。表示面１２１がロック画面３００を表示している場合に、ユーザが電子機器１に対して所定の操作を行うと、電子機器１ではロックモードが解除されて、表示面１２１の表示はロック画面３００から他の画面、例えばホーム画面４００（図７参照）に遷移する。以後、通常モードにおいて、ロックモードが解除されている状態を「非ロックモード」と呼ぶことがある。
【００５５】
ホーム画面４００には、図７に示されるように、複数の操作ボタン４０１〜４０３が示される。操作ボタン４０１〜４０３のそれぞれはソフトウェアボタンである。操作ボタン４０１〜４０３は、非ロックモードにおいて、ホーム画面４００以外の画面にも示される。
【００５６】
操作ボタン４０１は例えばバックボタンである。バックボタンは、表示面１２１の表示を一つ前の表示に切り替えるための操作ボタンである。ユーザが操作ボタン４０１に対して所定の操作を行うことよって、表示面１２１の表示が一つ前の表示に切り替わる。例えば、ユーザが操作ボタン４０１に対してタップ操作を行うことよって、表示面１２１の表示が一つ前の表示に切り替わる。タップ操作は、指等の操作子が操作対象面をさわってから、そのさわった箇所からすぐに離れる操作である。また、後述するロングタップ操作は、操作子が操作対象面をしばらくの間さわってから、そのさわった箇所から離れる操作である。操作ボタン４０２は例えばホームボタンである。ホームボタンは、表示面１２１にホーム画面４００を表示させるための操作ボタンである。ユーザが操作ボタン４０２に対して例えばタップ操作を行うことによって、表示面１２１にホーム画面が表示される。操作ボタン４０３は、例えば履歴ボタンである。履歴ボタンは、電子機器１で実行されたアプリケーションの履歴を表示面１２１に表示させるための操作ボタンである。ユーザが操作ボタン４０３に対して例えばタップ操作を行うことよって、表示面１２１には、電子機器１で実行されたアプリケーションの履歴が表示される。
【００５７】
また、ホーム画面４００には、記憶部１０３内のアプリケーションに対応し、対応するアプリケーションの実行を電子機器１に指示するためのアイコン４０５が示される。アイコン４０５は表示物であるとも言える。図７の例では、ホーム画面４００に１０個のアイコン４０５が示されている。ユーザは、アイコン４０５に対して所定の操作（例えばタップ操作）を行うことによって、当該アイコン４０５に対応するアプリケーションの実行を電子機器１に指示することができる。制御部１００は、タップ操作されたアイコン４０５に対応するアプリケーションを記憶部１０３から読み出して実行する。つまり、制御部１００は、タッチパネル１３０がアイコン４０５に対する所定の操作を検出すると、当該アイコン４０５に対応するアプリケーションを記憶部１０３から読み出して実行する。これにより、ユーザは、アイコン４０５を操作することによって当該アイコン４０５を選択し、選択したアイコン４０５に対応するアプリケーションを電子機器１に実行させることができる。例えば、ユーザが、ブラウザに対応するアイコン４０５をタップ操作すると、電子機器１ではブラウザが実行される。またユーザが、カメラアプリケーションに対応するアイコン４０５をタップ操作すると、電子機器１ではカメラアプリケーションが実行される。
【００５８】
＜指紋認証の一例＞
制御部１００は、指紋センサ２００での指紋検出結果に基づいて指紋認証を行うことが可能である。以下に指紋認証の一例について説明する。
【００５９】
制御部１００は、指紋認証を行う際、指紋センサ２００からの出力信号に基づいて、指紋センサ２００で検出された指紋、つまり検出指紋を示す指紋画像を生成する。そして、制御部１００は、生成した指紋画像から、検出指紋の特徴を示す特徴点を抽出する。特徴点としては、例えば、指紋の稜線（凸部）の端点及び分岐点の位置と、当該稜線の太さなどが使用される。そして、制御部１００は、抽出した特徴点と、記憶部１０３に記憶されている基準特徴点とを比較する。基準特徴点は、正規のユーザ（例えば電子機器１の所有者）の指紋を示す指紋画像から抽出された特徴点である。制御部１００は、抽出した特徴点と基準特徴点とを比較した結果、両者が類似する場合には、指紋認証が成功であると判定する。指紋認証はユーザ認証の一種であると考えることができることから、制御部１００は、抽出した特徴点と基準特徴点とが類似する場合には、指紋センサ２００が検出した指紋を有するユーザが正規のユーザであると判定すると言える。一方で、制御部１００は、抽出した特徴点と基準特徴点とが類似しない場合には、指紋認証に失敗したと判定する。つまり、制御部１００は、指紋センサ２００が検出した指紋を有するユーザが非正規のユーザであると判定する。
【００６０】
通常モードには、ユーザの指紋を電子機器１に登録するための指紋登録モードが含まれる。電子機器１は、非ロックモードにおいて、表示面１２１に対して所定の操作が行われると、指紋登録モードで動作する。指紋登録モードにおいて、正規のユーザが自身の手の指（詳細には指の腹）を表示面１２１の上に置くと、指紋センサ２００は当該指の指紋を検出する。制御部１００は、指紋センサ２００からの出力信号に基づいて、指紋センサ２００で検出された指紋を示す指紋画像を生成する。そして、制御部１００は、生成した指紋画像から特徴点を抽出し、抽出した特徴点を基準特徴点として記憶部１０３に記憶する。これにより、正規のユーザの指紋の特徴を示す基準特徴点が記憶部１０３に記憶される。つまり、正規のユーザの指紋が電子機器１に登録される。
【００６１】
なお記憶部１０３には、複数の基準特徴点が記憶されることもある。この場合には、制御部１００は、抽出した特徴点と、記憶部１０３に記憶されている複数の基準特徴点のそれぞれとを比較する。制御部１００は、複数の基準特徴点の中に、抽出した特徴点と類似するものがある場合には、指紋認証が成功であると判定する。一方で、制御部１００は、複数の基準特徴点の中に、抽出した特徴点と類似するものが無い場合には、指紋認証に失敗したと判定する。記憶部１０３が記憶する複数の基準特徴点には、同じ人の複数の指の指紋の指紋画像から抽出された複数の特徴点が含まれることもあれば、複数の人の指の指紋の指紋画像から抽出された複数の特徴点が含まれることもある。言い換えれば、記憶部１０３が記憶する複数の基準特徴点には、同じ人の複数の指の指紋の特徴をそれぞれ示す複数の特徴点が含まれることもあれば、複数の人の指の指紋の特徴をそれぞれ示す複数の特徴点が含まれることもある。
【００６２】
＜表示面の操作による非ロックモードの設定の一例＞
本例では、動作モードがスリープモードである場合、ユーザは、表示面１２１に対して指で所定の操作を行うことによって、電子機器１に、動作モードを非ロックモードに設定させることができる。また本例では、動作モードがロックモードである場合、ユーザは、表示面１２１に対して指で所定の操作を行うことによって、電子機器１に、動作モードを非ロックモードに設定させることができる。
【００６３】
図８は、スリープモードで動作する電子機器１が、表示面１２１に対する指の操作に応じて動作モードを非ロックモードに設定する際の当該電子機器１の動作の一例を示すフローチャートである。本例では、スリープモードにおいて、センサ２１０は動作しているものの、指紋センサ２００の動作は停止している。なお、スリープモードにおいて指紋センサ２００が動作していてもよい。
【００６４】
図８に示されるように、制御部１００は、動作モードがスリープモードである場合、ステップｓ１において、表示面１２１が指で強く押されているか否かを判定する。図９は、動作モードがスリープモードである場合に、ユーザが指５００で表示面１２１を強く押す様子の一例を示す図である。図９の例では、ユーザは親指５００ａで表示面１２１を押している。
【００６５】
制御部１００は、センサ２１０での検出結果に基づいて、表示面１２１が指で強く押されているか否かを判定することができる。制御部１００は、センサ２１０で検出される押圧力が第１しきい値よりも大きい場合、表示面１２１が指で強く押されていると判定する。一方で、制御部１００は、センサ２１０で検出される押圧力が第１しきい値以下の場合、表示面１２１が指で強く押されていることは無いと判定する。なお制御部１００は、センサ２１０で検出される押圧力が第１しきい値以上の場合、表示面１２１が指で強く押されていると判定し、当該押圧力が第１しきい値未満の場合、表示面１２１が指で強く押されていることは無いと判定してもよい。
【００６６】
ステップｓ１において、表示面１２１が指で強く押されていると判定されると、ステップｓ２において、制御部１００は、スリープモードを解除して、動作モードをロックモードに設定する。これにより、図１０に示されるように、表示面１２１にはロック画面３００が表示される。ロックモードでは指紋センサ２００が動作する。一方で、ステップｓ１において、表示面１２１が指で強く押されていることは無いと判定されると、制御部１００は再度ステップｓ１を実行し、以後同様に動作する。
【００６７】
ステップｓ２の後、ステップｓ３において、制御部１００は、上述のようにして、指紋センサ２００での指紋検出結果に基づいて指紋認証を行う。このときの指紋センサ２００での指紋検出結果は、ステップｓ１において表示面１２１が指で強く押されていると判定されたときの当該指についての指紋検出結果である。
【００６８】
ステップｓ３の後、制御部１００は、ステップｓ４において、指紋認証に成功したか否かを判定する。ステップｓ４において指紋認証に成功したと判定されると、ステップｓ５において、制御部１００は動作モードをロックモードから非ロックモードに変更して、例えばホーム画面４００を表示面１２１に表示する（図７参照）。
【００６９】
一方で、ステップｓ４において指紋認証に失敗したと判定されると、ステップｓ６において、制御部１００は、エラーメッセージを表示面１２１に表示する。図１１はエラーメッセージ３１０の表示の一例を示す図である。エラーメッセージ３１０は、指紋認証が失敗したことを示す情報であると言える。図１１に示されるように、エラーメッセージ３１０は、例えば、ロック画面３００の上に表示される。エラーメッセージ３１０は図１１の例に限られない。
【００７０】
図１２は、ロックモードで動作する電子機器１が、表示面１２１に対する指の操作に応じて動作モードを非ロックモードに設定する際の当該電子機器１の動作の一例を示すフローチャートである。
【００７１】
図１２に示されるように、制御部１００は、動作モードがロックモードである場合、上述のステップｓ１を実行して、表示面１２１が指で強く押されているか否かを判定する。ステップｓ１において、表示面１２１が指で強く押されていると判定されると、上述のステップｓ３を実行して指紋認証を行う。一方で、ステップｓ１において、表示面１２１が指で強く押されていることは無いと判定されると、制御部１００は再度ステップｓ１を実行し、以後同様に動作する。
【００７２】
ステップｓ３の後、制御部１００は、同様にしてステップｓ４〜ｓ６を実行する。ステップｓ６の後、表示面１２１が再度指でさわられると、ステップｓ１が実行され、以後制御部１００は同様に動作する。制御部１００は、例えばタッチパネル１３０の出力信号に基づいて、表示面１２１が再度指でさわられたことを特定することができる。なお、上述の図８の例では、ステップｓ６の後、表示面１２１が再度指でさわれると、ステップｓ１が実行され、以後制御部１００は同様に動作する。
【００７３】
以上の説明から理解できるように、動作モードがスリープモードあるいはロックモードである場合、正規のユーザが表示面１２１に設定された検出領域２０１を指で強く押すと、電子機器１では、指紋認証が成功し、動作モードが非ロックモードに設定される。一方で、非正規のユーザが表示面１２１に設定された検出領域２０１を指で強く押すと、電子機器１では、指紋認証が失敗し、動作モードが非ロックモードに設定されない。また、表示面１２１における、検出領域２０１以外の領域が指で強く押された場合には、指紋センサ２００は指紋を検出することができないことから、ステップｓ３での指紋認証が失敗する。したがって、表示面１２１における、検出領域２０１以外の領域が指で強く押された場合には、表示面１２１を押した人が正規のユーザであるのか否かにかかわらず、電子機器１では、動作モードが非ロックモードに設定されない。制御部１００は、ステップｓ３での指紋認証が、検出領域２０１以外の領域が指で強く押されたために失敗した場合には、つまり、指紋センサ２００が指紋を検出しなかったために失敗した場合には、ステップｓ６において、検出領域２０１の場所をユーザに通知する通知情報３２０を表示面１２１に表示してもよい。図１３は通知情報３２０の表示例を示す図である。図１３の例では、上述の図５に示されるように、検出領域２０１は表示面１２１の下側の端部に設定されている。図１３の例では、通知情報３２０には、検出領域２０１の場所を示す図形３２２と、図形３２２によって示される領域を指で強く押すことを指示する指示情報３２１とが含まれている。指示情報３２１には、文字列と矢印とが含まれている。通知情報３２０の表示例は図１３の例には限られない。
【００７４】
なおステップｓ５においては、スリープモードに設定される直前に表示面１２１に表示されていた画面が表示面１２１に表示されてもよい。この場合、例えば、スリープモードに設定される直前に、実行中のブラウザの画面が表示面１２１に表示されていた場合には、ステップｓ５において、当該ブラウザの画面が表示される。
【００７５】
また上記の図８の例では、表示面１２１が指で強く押されているときにステップｓ２が実行されるが、表示面１２１に対する指の押圧力にかかわらず表示面１２１が指でさわられているときにステップｓ２が実行されてもよい。この場合には、例えば、制御部１００は、スリープモードにおいてタッチパネル１３０を動作させる。そして、制御部１００は、ステップｓ１において、タッチパネル１３０の出力信号に基づいて、表示面１２１が指でさわられているか否か判定する。制御部１００は、表示面１２１が指でさわられていると判定するとステップｓ２を実行する。同様に、図１２の例において、表示面１２１に対する指の押圧力にかかわらず表示面１２１が指でさわられているときにステップｓ３が実行されてもよい。なお制御部１００は、スリープモードにおいて指紋センサ２００を動作させて、指紋センサ２００の出力信号に基づいて、表示面１２１が指でさわられているか否かを判定してもよい。
【００７６】
また、図８，１２の例において、制御部１００は、ロック画面３００が表示されている場合、表示面１２１において指でさわれている場所に表示物３３０を表示してもよい。図８のフローチャートにおいて、制御部１００は、例えばステップｓ２の実行後からステップｓ５の実行前まで、表示面１２１において指でさわれている場所に表示物３３０を表示してもよい。また制御部１００は、図８のフローチャートにおいて、例えばステップｓ２の実行後からステップｓ６の実行前まで、表示面１２１において指でさわれている場所に表示物３３０を表示してもよい。また制御部１００は、図１２のフローチャートにおいて、例えばステップｓ１の実行後からステップｓ５の実行前まで、表示面１２１において指でさわれている場所に表示物３３０を表示してもよい。また制御部１００は、図１２のフローチャートにおいて、例えばステップｓ１の実行後からステップｓ６の実行前まで、表示面１２１において指でさわれている場所に表示物３３０を表示してもよい。図１４は、表示物３３０の表示例を示す図である。図１４に示されるように、表示物３３０は、その一部が、表示面１２１を強く押している指５００に隠れないように表示される。図１４の例では、表示物３３０は、人の指の指紋を表す図形となっている。なお、表示物３３０の形状等は図１３の例に限られない。
【００７７】
このように、表示面１２１において指でさわれている場所に表示物３３０が表示されることによって、ユーザは、自身の表示面１２１に対する操作が電子機器１に受け付けられていることを容易に知ることができる。よって、電子機器１の利便性が向上する。また、表示物３３０が人の指の指紋を示すことによって、ユーザは電子機器１において指紋認証が行われていることを容易に知ることができる。よって、電子機器１の利便性が向上する。
【００７８】
＜表示物が操作されたときの電子機器の動作の一例＞
制御部１００は、動作モードが非ロックモードである場合、表示面１２１に表示される特定の表示物に対して、当該特定の表示物が指でさわれるとき、指紋認証を行い、当該指紋認証に成功すれば当該特定の表示物に関する処理（以後、「関連処理」と呼ぶことがある）を実行し、当該指紋認証に失敗すれば当該処理を実行しないという処理ロック設定を行うことができる。処理ロック設定が可能な表示物としては、アイコン４０５及び撮影画像が含まれる。撮影画像とは、カメラで撮影された画像である。以後、処理ロック設定が可能な表示物を単に「特定の表示物」と呼ぶことがある。また、処理ロック設定が行われた表示物を「ロック表示物」と呼ぶことがある。
【００７９】
図１５は、ロック表示物に対して指で所定の操作が行われるときの電子機器１の動作の一例を示す図である。制御部１００は、ロック表示物に対して指で所定の操作が行われるとき、ステップｓ１１において、当該指についての指紋センサ２００での指紋検出結果に基づいて指紋認証を行う。次にステップｓ１２において、制御部１００は、ステップｓ１１での指紋認証が成功した否かを判定する。ステップｓ１２において、指紋認証に成功したと判定されると、制御部１００は、ステップｓ１３において、指で所定の操作が行われたロック表示物に関する関連処理を実行する。一方で、ステップｓ１２において、指紋認証に失敗したと判定されると、制御部１００は、関連処理を実行せずに、ステップｓ１４において、エラーメッセージを表示面１２１に表示する。なお、ステップｓ１４は実行されなくてもよい。以下に、ロック表示物の具体例を挙げながら、図１５に示される一連の動作についてさらに詳細に説明する。
【００８０】
＜処理ロック設定が行われたアイコンが操作されたときの動作例＞
制御部１００は、表示面１２１に表示されるアイコン４０５に対して処理ロック設定が行われていない場合には、当該アイコン４０５に対して指でタップ操作が行われると、上述のように、当該アイコン４０５に対応するアプリケーションを記憶部１０３から読み出して実行する。
【００８１】
一方で、制御部１００は、処理ロック設定が行われているアイコン４０５に対して指でタップ操作が行われるときに、指紋センサ２００での指紋検出結果に基づいて指紋認証を行う（ステップｓ１１）。制御部１００は、処理ロック設定が行われたアイコン４０５に対する指のタップ操作において、当該アイコン４０５が指でさわれると、指紋認証を開始する。制御部１００は、指紋認証に成功すると（ステップｓ１２でＹＥＳ）、タップ操作が行われたアイコン４０５に対応するアプリケーションを記憶部１０３から読み出して実行する（ステップｓ１３）。一方で、制御部１００は、指紋認証に失敗すると（ステップｓ１２でＮＯ）、タップ操作が行われたアイコン４０５に対応するアプリケーションを実行せずに、表示面１２１にエラーメッセージを表示する（ステップｓ１４）。
【００８２】
例えば、電子機器１がアプリケーションをダウンロードするためのウェブサイトを表示するためのアプリケーション（以後、「ストアアプリケーション」と呼ぶ）に対応するアイコン４０５ａに対して処理ロック設定が行われている場合を考える。この場合、ユーザが、アイコン４０５ａに対して指５００でタップ操作を行うときに、図１６に示されるように、アイコン４０５ａを指５００でさわると、制御部１００は、指紋センサ２００での指紋検出結果に基づいて指紋認証を行う。図１６には、人差し指５００ｂでアイコン４０５ａが操作される様子が示されている。制御部１００は、アイコン４０５ａに対して指５００でタップ操作が行われ、指紋認証に成功すると、アイコン４０５ａに対応するストアアプリケーションを実行する。これにより、図１７に示されるように、電子機器１がアプリケーションをダウンロードするためのウェブサイトの所定のウェブページ６００が表示面１２１に表示される。一方で、制御部１００は、アイコン４０５ａに対して指５００でタップ操作が行われたものの、指紋認証に失敗すると、ストアアプリケーションを実行しない。そして、制御部１００は、図１８に示されるように、例えば、エラーメッセージ４１０ａを含む通知画面４１０を表示面１２１に表示する。このとき、図１８に示されるように、半透明の通知画面４１０がホーム画面４００の上に表示されてもよい。エラーメッセージ４１０ａは、アイコン４０５ａに対して処理ロック設定が行われていることを示す情報であると言える。また、エラーメッセージ４１０ａは、指紋認証が失敗したことを示す情報であるとも言える。通知画面４１０の表示は、一定時間経過後に消去されてもよいし、ユーザの表示面１２１に対する操作に応じて消去されてもよい。なお、通知画面４１０は不透明画面であってもよい。また、通知画面４１０は表示されなくてもよい。
【００８３】
また例えば、メールアプリケーションに対応するアイコン４０５ｂに対して処理ロック設定が行われている場合を考える。この場合、ユーザが、アイコン４０５ｂに対して指５００でタップ操作を行うときに、図１９に示されるように、アイコン４０５ｂを指５００でさわると、制御部１００は、指紋センサ２００での指紋検出結果に基づいて指紋認証を行う。制御部１００は、アイコン４０５ｂに対して指５００でタップ操作が行われ、指紋認証に成功すると、アイコン４０５ｂに対応するメールアプリケーションを実行する。これにより、図２０に示されるように、表示面１２１には、例えば、受信メールの一覧を示す受信メール画面６１０が表示される。一方で、制御部１００は、アイコン４０５ｂに対して指５００でタップ操作が行われたとしても、指紋認証に失敗すると、メールアプリケーションを実行しない。そして、制御部１００は、上述の図１８に示されるように、例えば、エラーメッセージ４１０ａを含む通知画面４１０を表示面１２１に表示する。
【００８４】
このように、制御部１００は、アイコン４０５に対して処理ロック設定が行われている場合、指紋認証に成功したとき、当該アイコン４０５に対応するアプリケーションを実行し、指紋認証に失敗したとき、当該アイコン４０５に対応するアプリケーションを実行しない。したがって、制御部１００は、正規のユーザがアイコン４０５を操作したときにはそれに応じたアプリケーションを実行し、非正規のユーザがアイコン４０５を操作したときにはそれに応じたアプリケーションを実行しない。よって、非正規のユーザは、処理ロック設定が設定されたアイコン４０５に対応するアプリケーションを電子機器１に実行させることが難しくなる。その結果、電子機器１の利便性が向上する。
【００８５】
また、正規のユーザは、アイコン４０５を指でさわると、指紋認証と、当該アイコン４０５に対応するアプリケーションとを電子機器１に実行させることができる。よって、電子機器１の操作性が向上する。
【００８６】
なお、アイコン４０５に対する操作はタップ操作だけには限られない。例えば、制御部１００は、アイコン４０５に対して例えばロングタップ操作が行われると、当該アイコン４０５に対応するアプリケーションを記憶部１０３から削除し、当該アイコン４０５の表示を消去してもよい。この場合、制御部１００は、アイコン４０５に対して処理ロック設定が行われている場合には、当該アイコン４０５に対して指でロングタップ操作が行われるとき、指紋認証を実行する。そして、制御部１００は、指紋認証に成功すると、ロングタップ操作が行われたアイコン４０５に対応するアプリケーションを記憶部１０３から削除して、当該アイコン４０５の表示を消去する。一方で、制御部１００は、指紋認証に失敗すると、ロングタップ操作が行われたアイコン４０５に対応するアプリケーションを記憶部１０３から削除しない。このとき、制御部１００は、表示面１２１にエラーメッセージを表示してもよい。
【００８７】
＜処理ロック設定が行われた撮影画像が操作されたときの動作例＞
制御部１００は、例えば、記録画像表示アプリケーションの実行中に表示面１２１に表示される撮影画像に対して処理ロック設定が行われていない場合には、当該撮影画像に関する関連処理を実行することを指示する操作（以後、「実行指示操作」と呼ぶことがある）が指で当該撮影画像に対して行われると、当該関連処理を実行する。この関連処理には、例えば、撮影画像の削除、撮影画像の編集画面の表示、及びＳＮＳ（Social Networking Service）等のウェブサーバへの撮影画像のアップロードなどが含まれる。
【００８８】
一方で、制御部１００は、処理ロック設定が行われている撮影画像に対して指で実行指示操作が行われるとき、当該指についての指紋センサ２００での指紋検出結果に基づいて指紋認証を行う(ステップｓ１１）。制御部１００は、処理ロック設定が行われた撮影画像に対する指の実行指示操作において、当該撮影画像が指でさわれると、指紋認証を開始する。制御部１００は、指紋認証に成功すると(ステップｓ１２でＹＥＳ）、実行指示操作が行われた撮影画像に関する関連処理を実行する(ステップｓ１３）。一方で、制御部１００は、指紋認証に失敗すると(ステップｓ１２でＮＯ）、実行指示操作が行われた撮影画像に関する関連処理を実行せずに、表示面１２１にエラーメッセージを表示する（ステップｓ１４）。
【００８９】
例えば、図２１に示されるように、複数の撮影画像７０１ａ〜７０１ｆと、操作ボタン４０１〜４０３とを含む画面７００が表示面１２１に表示されている場合を考える。また、撮影画像に対するロングタップ操作が、例えば、当該撮影画像の削除を指示する実行指示操作であるとする。このような場合、ユーザが、処理ロック設定が行われている撮影画像７０１ｅに対して指５００でロングタップ操作を行うときに、図２１に示されるように、撮影画像７０１ｅを指５００でさわると、制御部１００は、指紋センサ２００での指紋検出結果に基づいて指紋認証を行う。制御部１００は、撮影画像７０１ｅに対して指５００でロングタップ操作が行われ、指紋認証に成功すると、撮影画像７０１ｅを記憶部１０３から削除する。これにより、図２２に示されるように、撮影画像７０１ｅの表示が消去される。一方で、制御部１００は、撮影画像７０１ｅに対して指５００でロングタップ操作が行われたものの、指紋認証に失敗すると、撮影画像７０１ｅを記憶部１０３から削除しない。そして、制御部１００は、図２３に示されるように、例えば、エラーメッセージ７０５ａを含む通知画面７０５を表示面１２１に表示する。このとき、図２３に示されるように、半透明の通知画面７０５が、複数の撮影画像７０１ａ〜７０１ｆを含む画面７００の上に表示されてもよい。エラーメッセージ７０５ａは、撮影画像７０１ｅに対して処理ロック設定が行われていることを示す情報であると言える。エラーメッセージ７０５ａは、指紋認証が失敗したことを示す情報であるとも言える。通知画面７０５の表示は、一定時間経過後に消去されてもよいし、ユーザの表示面１２１に対する操作に応じて消去されてもよい。なお、通知画面７０５は不透明画面であってもよい。また、通知画面７０５は表示されなくてもよい。
【００９０】
以上のように、本例では、正規のユーザは、ロック表示物を指でさわると、指紋認証と、当該ロック表示物に関する処理とを電子機器１に実行させることができることから、電子機器１の操作性が向上する。
【００９１】
＜表示物に対して処理ロック設定を行う方法の一例＞
本例では、制御部１００は、表示面１２１に表示される各特定の表示物に対して個別に処理ロック設定を行うことができる。本例では、通常モードには、特定の表示物に対して処理ロック設定を行うための設定モードが含まれる。電子機器１は、非ロックモードにおいて、表示面１２１に対して所定の操作が行われると、設定モードで動作する。設定モードにおいて、ユーザは、表示面１２１に対して所定の操作を行うことによって、特定の表示物に対して処理ロック設定を行うことができる。例えば、動作モードが設定モードである場合、表示面１２１に表示されるアイコン４０５に対してロングタップ操作が行われると、当該アイコン４０５に対して処理ロック設定が行われる。また、動作モードが設定モードである場合、表示面１２１に表示される撮影画像に対してロングタップ操作が行われると、当該撮影画像に対して処理ロック設定が行われる。なお、特定の表示物に対して処理ロック設定を行う方法はこれに限られない。
【００９２】
以上のように、本例では、制御部１００は、表示面１２１が非表示状態である場合に表示面１２１が指でさわられたとき、表示面１２１を表示状態に変更するとともに、当該指についての指紋検出結果に基づいて指紋認証を行う。このため、正規のユーザは、表示面１２１を指でさわることによって、電子機器１に、表示面１２１を表示状態にさせつつ、指紋認証を実行させることができる。よって、電子機器１の操作性が向上する。
【００９３】
また、指紋センサ２００は、表示面１２１をさわる指の指紋を検出することができることから、つまり、指紋検出領域２０１が表示面１２１に設定されていることから、表示面１２１が存在する領域とは別の領域に指紋検出領域２０１を設定する場合と比較して、電子機器１の表面を有効利用することができる。
【００９４】
また、指紋検出領域２０１が表示面１２１に設定されていることから、ユーザは、指紋認証のために表示面１２１を指でさわった後、他の目的のために表示面１２１を指でさわりやすくなる。よって、電子機器１の操作性が向上する。
【００９５】
また、制御部１００は、表示面１２１に表示されているロック表示物が指でさわれた場合、当該指についての指紋センサ２００での指紋検出結果に基づいて指紋認証を行う。そして、制御部１００は、指紋認証に成功すると、指でさわられたロック表示物に関する処理を実行し、当該指紋認証に失敗すると当該処理を実行しない。よって、非正規のユーザは、当該処理を電子機器１に実行させることが難しくなる。その結果、電子機器１の利便性が向上する。また、正規のユーザは、ロック表示物を指でさわると、指紋認証と、当該ロック表示物に関する処理とを電子機器１に実行させることができることから、電子機器１の操作性が向上する。
【００９６】
なお制御部１００は、ロック表示物をさわる指に応じて処理を変更してもよい。例えば、電子機器１が複数の人が共用される場合、複数の人の指の指紋が電子機器１に登録されることが考えられる。この場合、制御部１００は、指紋センサ２００において検出される、ロック表示物をさわる指紋を有するユーザに応じて処理を変更してもよい。以下に、この場合の電子機器１の動作について詳細に説明する。以下では、ユーザＡ，Ｂが電子機器１を共用する場合を例に挙げて、電子機器１の動作について説明する。
【００９７】
図２２に示されるように、記憶部１０３には、ユーザＡの指の指紋を示す指紋画像から抽出された基準特徴点８００Ａと、ユーザＢの指の指紋を示す指紋画像から抽出された基準特徴点８００Ｂとが登録されているものとする。記憶部１０３では、ユーザを特定するためのユーザ特定情報８１０Ａと基準特徴点８００Ａとが対応付けられ、ユーザＢを特定するためのユーザ特定情報８１０Ｂと基準特徴点８００Ｂとが対応付けられている。動作モードが指紋登録モードのとき、ユーザは表示面１２１に対して所定の操作を行うことによって、当該ユーザを特定するためのユーザ特定情報を電子機器１に入力することができる。制御部１００は、入力されたユーザ特定情報と、抽出した基準特徴点とを対応付けて記憶部１０３に記憶する。ユーザ特定情報には、例えば、ユーザの氏名などが含まれる。
【００９８】
図２５は電子機器１の動作の一例を示すフローチャートである。制御部１００は、ロック表示物に対して指で所定の操作が行われるとき、ステップｓ２１において、当該指についての指紋センサ２００での指紋検出結果に基づいて指紋認証を行う。次にステップｓ２２において、制御部１００は、ステップｓ２１での指紋認証が成功した否かを判定する。ステップｓ２２において、指紋認証に失敗したと判定されると、ステップｓ２６において、制御部１００はエラーメッセージを表示面１２１に表示する。なお、ステップｓ２６は実行されなくてもよい。
【００９９】
一方で、ステップｓ２２において、指紋認証に成功したと判定されると、ステップｓ２３において、制御部１００は、指紋センサ２００が検出する指紋を有するユーザを特定する。制御部１００は、指紋センサ２００が検出する指紋を有するユーザがユーザＡである場合、ステップｓ２４において、ユーザＡに応じた処理を実行する。また制御部１００は、指紋センサ２００が検出する指紋を有するユーザがユーザＢである場合、ステップｓ２５において、ユーザＢに応じた処理を実行する。制御部１００は、指紋センサ２００で検出された指紋を示す指紋画像から抽出した特徴点と類似する基準特徴点に対応付けられているユーザ特定情報を特定し、特定したユーザ特定情報から、指紋センサ２００が検出した指紋を有するユーザを特定することができる。以下に、ロック表示物の具体例を挙げながら、図２５に示される一例の動作についてさらに詳細に説明する。
【０１００】
例えば、上述の図１９に示されるように、処理ロック設定が行われた、メールアプリケーションに対応するアイコン４０５ｂに対してタップ操作が行われるとき、制御部１００は指紋認証を行う（ステップｓ２１）。制御部１００は、指紋認証に成功し（ステップｓ２２でＹＥＳ）、かつ指紋センサ２００が検出する指紋を有するユーザがユーザＡである場合（ステップｓ２３でユーザＡが特定）、メールアプリケーションを実行して、例えば、ユーザＡ宛ての受信メールの一覧を示す受信メール画面６２０Ａを表示面１２１に表示する（ステップｓ２４）。図２６は、受信メール画面６２０Ａの一例を示す図である。また制御部１００は、指紋認証に成功し（ステップｓ２２でＹＥＳ）、かつ指紋センサ２００が検出する指紋を有するユーザがユーザＢである場合（ステップｓ２３でユーザＢが特定）、メールアプリケーションを実行して、例えば、ユーザＢ宛ての受信メールの一覧を示す受信メール画面６２０Ｂを表示面１２１に表示する（ステップｓ２５）。図２７は、受信メール画面６２０Ｂの一例を示す図である。そして制御部１００は、指紋認証に失敗すると（ステップｓ２２でＮＯ）、上述の図１８の例のように、エラーメッセージ４１０ａを含む通知画面４１０を表示面１２１に表示する（ステップｓ２６）。この例では、電子機器１に対して、ユーザＡが使用するメールアドレスと、ユーザＢが使用するメールアドレスが割り当てられている。制御部１００は、記憶部１０３から、ユーザＡが使用するメールアドレス宛ての受信メールをユーザＡ宛ての受信メールとして抽出し、抽出した受信メールの一覧を示す受信メール画面６２０Ａを表示面１２１に表示する。同様に、制御部１００は、記憶部１０３から、ユーザＢが使用するメールアドレス宛ての受信メールをユーザＢ宛ての受信メールとして抽出し、抽出した受信メールの一覧を示す受信メール画面６２０Ｂを表示面１２１に表示する。
【０１０１】
なお制御部１００は、処理ロック設定が行われた、メールアプリケーション以外のアプリケーションに対応するアイコン４０５に対してタップ操作が行われるとき、指紋センサ２００が検出する指紋を有するユーザに応じて処理を変更してもよい。例えば、制御部１００は、処理ロック設定が行われた、通話アプリケーションに対応するアイコン４０５に対してタップ操作が行われるとき、指紋センサ２００が検出する指紋を有するユーザに応じて処理を変更してもよい。この場合、処理ロック設定が行われた、通話アプリケーションに対応するアイコン４０５に対してタップ操作が行われるとき、制御部１００は同様にして指紋認証を行う。制御部１００は、指紋認証に成功し、かつ指紋センサ２００が検出する指紋を有するユーザがユーザＡである場合、通話アプリケーションを実行して、例えば、ユーザＡ宛ての着信の履歴を表示面１２１に表示する。また制御部１００は、指紋認証に成功し、かつ指紋センサ２００が検出する指紋を有するユーザがユーザＢである場合、通話アプリケーションを実行して、例えば、ユーザＢ宛ての着信の履歴を表示面１２１に表示する。そして制御部１００は、指紋認証に失敗すると、エラーメッセージ４１０ａを含む通知画面４１０を表示面１２１に表示する。この例では、電子機器１に対して、ユーザＡが使用する電話番号と、ユーザＢが使用する電話番号とが割り当てられている。制御部１００は、ユーザＡが使用する電話番号宛ての着信の履歴を、ユーザＡ宛ての着信の履歴として表示面１２１に表示する。同様に、制御部１００は、ユーザＢが使用する電話番号宛ての着信の履歴を、ユーザＢ宛ての着信の履歴として表示面１２１に表示する。
【０１０２】
また制御部１００は、処理ロック設定が行われた、記録画像表示アプリケーションに対応するアイコン４０５に対してタップ操作が行われるとき、指紋センサ２００が検出する指紋を有するユーザに応じて処理を変更してもよい。例えば、処理ロック設定が行われた、記録画像表示アプリケーションに対応するアイコン４０５に対してタップ操作が行われるとき、制御部１００は同様にして指紋認証を行う。制御部１００は、指紋認証に成功し、かつ指紋センサ２００が検出する指紋を有するユーザがユーザＡである場合、記録画像表示アプリケーションを実行して、例えば、表示面１２１において、ユーザＡに関する撮影画像を、ユーザＢに関する撮影画像よりも優先的に上の方に表示する。また制御部１００は、指紋認証に成功し、かつ指紋センサ２００が検出する指紋を有するユーザがユーザＢである場合、記録画像表示アプリケーションを実行して、例えば、表示面１２１において、ユーザＢに関する撮影画像を、ユーザＡに関する撮影画像よりも優先的に上の方に表示する。そして制御部１００は、指紋認証に失敗すると、エラーメッセージ４１０ａを含む通知画面４１０を表示面１２１に表示する。
【０１０３】
図２８は、表示面１２１において、ユーザＡに関する撮影画像７１１が、ユーザＢに関する撮影画像７１１よりも優先的に上の方に表示されている様子の一例を示す図である。図２８の例では、ユーザＡに関する複数の撮影画像７１１と、ユーザＢに関する複数の撮影画像７１１と、操作ボタン４０１〜４０３とを含む画面７１０が表示面１２１に表示されている。図２８では、便宜上、ユーザＡに関する撮影画像７１１内には「Ａ］を示し、ユーザＢに関する撮影画像７１１内には「Ｂ］を示している。
【０１０４】
ユーザＡに関する撮影画像には、例えば、記憶部１０３内において、ユーザ特定情報８１０Ａに対応付けられている撮影画像７１１が挙げられる。同様に、ユーザＢに関する撮影画像には、例えば、記憶部１０３内において、ユーザ特定情報８１０Ｂに対応付けられている撮影画像７１１が挙げられる。ユーザは、表示面１２１を操作することによって、電子機器１に、記憶部１０３内の各撮影画像に対して、当該ユーザを特定するためのユーザ特定情報を対応付けさせることができる。
【０１０５】
また、ユーザＡに関する撮影画像としては、ユーザＡが写る撮影画像が採用され、ユーザＢに関する撮影画像としては、ユーザＢが写る画像が採用されてもよい。この場合、例えば、ユーザ特定情報８１０Ａに、ユーザＡの顔が映る顔画像が含まれ、ユーザ特定情報８１０Ｂに、ユーザＢの顔が映る顔画像が含まれる。制御部１００は、記憶部１０３内の複数の撮影画像７１１から、ユーザ特定情報８１０Ａに含まれる顔画像を含む撮影画像７１１を特定し、特定した撮影画像７１１を、ユーザＡが写る撮影画像７１１として表示面１２１に表示する。同様に、制御部１００は、記憶部１０３内の複数の撮影画像７１１から、ユーザ特定情報８１０Ｂに含まれる顔画像を含む撮影画像７１１を特定し、特定した撮影画像７１１を、ユーザＢが写る撮影画像７１１として表示面１２１に表示する。なお、指紋センサ２００が検出する指紋を有するユーザがユーザＡである場合、表示面１２１には、ユーザＡに関する撮影画像が表示され、ユーザＢに関する撮影画像が表示されなくてもよい。また、指紋センサ２００が検出する指紋を有するユーザがユーザＢである場合、表示面１２１には、ユーザＢに関する撮影画像が表示され、ユーザＡに関する撮影画像が表示されなくてもよい。
【０１０６】
また制御部１００は、指紋センサ２００において指紋が検出される、ロック表示物をさわるユーザの指の種類に応じて処理を変更してもよい。以下にこの場合の電子機器１の動作の一例について説明する。以下の説明では、記憶部１０３には、例えば、ユーザの親指の指紋の特徴を示す基準特徴点（以後、「親指の基準特徴点」と呼ぶ）と、ユーザの人差し指の指紋の特徴を示す基準特徴点（以後、「人差し指の基準特徴点」と呼ぶ）とが記憶されているものとする。
【０１０７】
図２９は電子機器１の動作の一例を示すフローチャートである。制御部１００は、ロック表示物に対して指で所定の操作が行われるとき、ステップｓ３１において、当該指についての指紋センサ２００での指紋検出結果に基づいて指紋認証を行う。次にステップｓ３２において、制御部１００は、ステップｓ３１での指紋認証が成功した否かを判定する。ステップｓ３２において、指紋認証に失敗したと判定されると、ステップｓ３６において、制御部１００はエラーメッセージを表示面１２１に表示する。なお、ステップｓ３６は実行されなくてもよい。
【０１０８】
一方で、ステップｓ３２において、指紋認証に成功したと判定されると、ステップｓ３３において、制御部１００は、ロック表示物をさわる指の種類を特定する。制御部１００は、ロック表示物をさわる指の種類が親指である場合、ステップｓ３４において、親指に応じた処理を実行する。制御部１００は、指紋センサ２００で検出された指紋を示す指紋画像から抽出した特徴点が親指の基準特徴点と類似する場合には、ロック表示物をさわる指の種類が親指であると判定する。また制御部１００は、ロック表示物をさわる指の種類が人差し指である場合、ステップｓ３５において、人差し指に応じた処理を実行する。制御部１００は、指紋センサ２００で検出された指紋を示す指紋画像から抽出した特徴点が人差し指の基準特徴点と類似する場合には、ロック表示物をさわる指の種類が人差し指であると判定する。以下に、ロック表示物の具体例を挙げながら、図２９に示される一例の動作についてさらに詳細に説明する。
【０１０９】
例えば、処理ロック設定が行われた、メールアプリケーションに対応するアイコン４０５ｂに対して指でタップ操作が行われるとき、制御部１００は指紋認証を行う（ステップｓ３１）。制御部１００は、指紋認証に成功し（ステップｓ３２でＹＥＳ）、アイコン４０５ｂをさわる指が図１９に示されるように親指５００ａである場合（ステップｓ３３で親指が特定）、メールアプリケーションを実行して、例えば、図２０と同様に、受信メールの一覧を表示面１２１に表示する（ステップｓ３４）。また制御部１００は、指紋認証に成功し（ステップｓ３２でＹＥＳ）、アイコン４０５ｂをさわる指が図３０に示されるように人差し指５００ｂである場合（ステップｓ３３で人差し指が特定）、メールアプリケーションを実行して、例えば、図３１に示されるように、新規メールを作成するための作成画面６３０を表示面１２１に表示する（ステップｓ３５）。そして、制御部１００は、指紋認証に失敗すると（ステップｓ３２でＮＯ）、メールアプリケーションを実行せずに、エラーメッセージ４１０ａを含む通知画面４１０を表示面１２１に表示する（ステップｓ３６）。なお、制御部１００は、指紋認証に成功し、アイコン４０５ｂをさわる指が中指である場合、メールアプリケーションを実行して、例えば、送信メールの一覧を表示してもよい。
【０１１０】
また制御部１００は、指紋センサ２００において指紋が検出される、処理ロック設定が行われた撮影画像をさわるユーザの指の種類に応じて処理を変更してもよい。この場合、制御部１００は、例えば、処理ロック設定が行われた撮影画像に対して指でロングタップ操作が行われるとき、指紋認証を行う。制御部１００は、指紋認証に成功し、撮影画像をさわる指が親指である場合、例えば、ロングタップ操作された撮影画像を記憶部１０３内から削除する。また制御部１００は、指紋認証に成功し、撮影画像をさわる指が人差し指である場合、例えば、ロングタップ操作された撮影画像を編集する編集画面を表示面１２１に表示する。そして制御部１００は、指紋認証に失敗した場合には、上述の図２３に示されるように、エラーメッセージ７０５ａを含む通知画面７０５を表示面１２１に表示する。
【０１１１】
以上のように、制御部１００が、処理ロック設定が行われている表示物をさわる指に応じて処理を変更することによって、表示物をさわるユーザに応じてあるいは表示物をさわる指の種類に応じて、電子機器１で実行される処理が変化する。したがって、電子機器１の操作性が向上する。なお、制御部１００が、ロック表示物をさわる指に応じて処理を変更する際の電子機器１の動作例は上記の例には限られない。
【０１１２】
上記の例では、電子機器１は、スマートフォン等の携帯電話機であったが、他の種類の電子機器であってよい。電子機器１は、例えば、タブレット端末、パーソナルコンピュータ、ウェアラブル機器などであってよい。電子機器１として採用されるウェアラブル機器は、リストバンド型あるいは腕時計型などの腕に装着するタイプであってもよいし、ヘッドバンド型あるいはメガネ型などの頭に装着するタイプであってもよいし、服型などの体に装着するタイプであってもよい。
【０１１３】
また上述のように、電子機器１は、センサ２１０の出力信号に基づいて、表示面１２１が人の指以外のものによりさわられていることを特定することができる場合には、タッチパネル１３０が検出した操作が、人の指以外のものによって表示面１２１がさわれる操作であることを特定したときには、タッチパネル１３０が検出した操作に対応する制御の一部、あるいは当該制御の全部を実行しなくてもよい。タッチパネル１３０が検出する操作には、表示面１２１に対するタップ操作及びロングタップ操作等が含まれる。
【０１１４】
以上のように、電子機器１は詳細に説明されたが、上記した説明は、全ての局面において例示であって、この開示がそれに限定されるものではない。また、上述した各種の例は、相互に矛盾しない限り組み合わせて適用可能である。そして、例示されていない無数の例が、この開示の範囲から外れることなく想定され得るものと解される。
【符号の説明】
【０１１５】
１  電子機器
１００  制御部
１２１  表示面
２００  指紋センサ
２１０  センサ
【図１】
2019079415.tif 000003
【図２】
2019079415.tif 000004
【図３】
2019079415.tif 000005
【図４】
2019079415.tif 000006
【図５】
2019079415.tif 000007
【図６】
2019079415.tif 000008
【図７】
2019079415.tif 000009
【図８】
2019079415.tif 000010
【図９】
2019079415.tif 000011
【図１０】
2019079415.tif 000012
【図１１】
2019079415.tif 000013
【図１２】
2019079415.tif 000014
【図１３】
2019079415.tif 000015
【図１４】
2019079415.tif 000016
【図１５】
2019079415.tif 000017
【図１６】
2019079415.tif 000018
【図１７】
2019079415.tif 000019
【図１８】
2019079415.tif 000020
【図１９】
2019079415.tif 000021
【図２０】
2019079415.tif 000022
【図２１】
2019079415.tif 000023
【図２２】
2019079415.tif 000024
【図２３】
2019079415.tif 000025
【図２４】
2019079415.tif 000026
【図２５】
2019079415.tif 000027
【図２６】
2019079415.tif 000028
【図２７】
2019079415.tif 000029
【図２８】
2019079415.tif 000030
【図２９】
2019079415.tif 000031
【図３０】
2019079415.tif 000032
【図３１】
2019079415.tif 000033